(57)【要約】【課題】手電極測定器と足電極測定器間の信号を無線で送受信することにより、ケーブルなしの無線通信可能な体成分分析装置を提供する。【解決手段】第１電極が設置されて第１インピーダンス値を算出する第１電極測定器と、  第２電極が設置されて第２インピーダンス値によって体成分分析結果を算出する第２電極測定器と、を含み、前記第１電極測定器と第２電極測定器は無線通信で接続され、前記第２電極測定器は、前記第１インピーダンス値を受信し、体成分分析結果を組み合わせた全身の体成分分析を行い、その結果を出力する。【選択図】図６
0003110829.tif 000002
【実用新案登録請求の範囲】
【請求項１】
体成分分析装置において、
手電極が設置されて上半身のインピーダンス値を算出する手電極測定器と、
足電極が設置されて下半身のインピーダンス値によって体成分分析結果を算出する足電極測定器、とを有し、
前記手電極測定器と足電極測定器は無線通信で接続され、前記足電極測定器は、前記上半身のインピーダンス値を受信し、体成分分析結果を組み合わせた全身の体成分分析を行い、その結果を出力することを特徴とする無線通信可能な体成分分析装置。
【請求項２】
前記手電極測定器は、
左手と接触する左手電極と、
右手と接触する右手電極と、
前記二つの電極からの電極信号を入力としてインピーダンスを測定するためのインピーダンス測定部と、
測定された上半身インピーダンス値を無線信号に変換して送信するための無線信号送信部と、を有することを特徴とする請求項１記載の無線通信可能な体成分分析装置。
【請求項３】
前記足電極測定器は、
左足と接触する左足電極と、
右足と接触する右足電極と、
前記二つの電極からの電極信号を入力としてインピーダンスを測定するためのインピーダンス測定部と、
前記手電極測定器からの上半身インピーダンス値を受信するための無線信号受信部と、
体成分分析のための基礎データを入力するための入力部と、
被測定者の体重を測定する体重測定部と、
前記インピーダンス測定部からの下半身インピーダンス値と無線信号受信部からの上半身インピーダンス値とを組み合わせ、前記基礎データおよび測定済みの体重に基づいて体成分分析結果を算出する中央制御部と、
体成分分析結果を出力するためのディスプレイ部と、を有することを特徴とする請求項１または２記載の無線通信可能な体成分分析装置。
【請求項４】
前記足電極測定器は、前記手電極測定器を安着させるための安着溝を備えることを特徴とする請求項３記載の無線通信可能な体成分分析装置。
【請求項５】
体成分分析装置において、
手電極が設置されて上半身のインピーダンス値によって上半身の体成分分析結果を算出する手電極測定器と、
足電極が設置されて下半身のインピーダンス値によって下半身の体成分分析結果を算出する足電極測定器と、を有し、
前記手電極測定器と足電極測定器は無線通信で接続され、前記手電極測定器と足電極測定器のいずれか一つは、前記上半身の体成分分析結果と下半身の体成分分析結果とを組み合わせた全身の体成分分析を行い、その結果を出力することを特徴とする無線通信可能な体成分分析装置。
【請求項６】
前記手電極測定器は、
左手と接触する左手電極と、
右手と接触する右手電極と、
前記二つの電極からの電極信号を入力としてインピーダンスを測定するためのインピーダンス測定部と、
体成分分析のための基礎データを入力するための入力部と、
前記インピーダンス測定部からの上半身インピーダンス値と前記基礎データとに基づいて体成分分析結果を算出する中央制御部と、
体成分分析結果を出力するためのディスプレイ部と、
体成分分析結果を前記足電極測定器に対して送受信するための無線信号送受信部と、を有することを特徴とする請求項５記載の無線通信可能な体成分分析装置。
【請求項７】
前記足電極測定器は、
左足と接触する左足電極と、
右足と接触する右足電極と、
前記二つの電極からの電極信号を入力としてインピーダンスを測定するためのインピーダンス測定部と、
体成分分析結果を前記手電極測定器に対して送受信するための無線信号送受信部と、
体成分分析のための基礎データを入力するための入力部と、
被測定者の体重を測定する体重測定部と、
前記インピーダンス測定部からの下半身インピーダンス値と前記基礎データと測定済みの体重とに基づいて体成分分析結果を算出する中央制御部と、
体成分分析結果を出力するためのディスプレイ部と、を有することを特徴とする請求項５または６記載の無線通信可能な体成分分析装置。
【請求項８】
前記足電極測定器は、前記手電極測定器を安着させるための安着溝を備えることを特徴とする請求項７記載の無線通信可能な体成分分析装置。
【請求項９】
体成分分析装置において、
第１電極が設置されて第１インピーダンス値を算出する第１電極測定器と、
第２電極が設置されて第２インピーダンス値によって体成分分析結果を算出する第２電極測定器と、を含み、
前記第１電極測定器と第２電極測定器は無線通信で接続され、前記第２電極測定器は、前記第１インピーダンス値を受信し、体成分分析結果を組み合わせた全身の体成分分析を行い、その結果を出力することを特徴とする無線通信可能な体成分分析装置。
【考案の詳細な説明】
【技術分野】
【０００１】
本考案は、体成分分析装置に係り、手と足の電極から測定されるインピーダンスに基づいて体成分を分析する体成分分析装置に関する。
【背景技術】
【０００２】
図７は、従来例の体成分分析装置を示す図である。
図７は手電極により体成分を分析するための装置を示す。
図７の手電極による体成分分析装置は、両側に設けられた手電極Ａ，Ｂ，Ｃ，Ｄと、出力部１７と、キー入力部１８と、を備える。先ず、被測定者は、キー入力部１８で自分の身体情報、すなわち年齢、性別、身長、体重などの情報を入力し、それを出力部１７で確認する。被測定者は、自分の身体情報を入力し終わると、両手の親指をＡとＣにあて、残りの指でＢとＤを握り、体成分を測定し始める。この際、体成分分析装置は、４つの電極Ａ，Ｂ，Ｃ，Ｄからの電圧値の入力を受け、あらかじめ設定保存されたプログラムにより被測定者の上半身の体成分を分析し、その結果を出力部１７にディスプレイする。
【０００３】
図８は、従来の他の例の体成分分析装置を示す図である。
図８は足電極により体成分を分析するための装置を示す。
図８の足電極による体成分分析装置は、両側に設けられた足電極ａ，ｂ，ｃ，ｄと、出力部１７と、キー入力部１８と、を備える。そして、図７と同一の参照符号は同一の動作を行い、被測定者の下半身の体成分を分析する。被測定者は、キー入力部１８で自分の身体情報を入力し終わると、左足を電極ａとｂにあて、右足を電極ｃと電極ｄにあてて体成分を測定し始める。そして、その体成分測定結果は出力部１７にディスプレイされる。また、このような足電極による体成分測定装置は自体に体重計を備えているので、別に体重値を入力しなくても良い。
【０００４】
前述した図７と図８に示す上半身または下半身のみを測定する測定装置は、正確度より測定の簡便性を考慮したものなので、正確な体成分を測定するには手と足の電極を共に利用する必要がある。
【０００５】
このような体成分測定装置の一例を図９および図１０に示した。
図９は、従来の体成分分析装置を示す図である。
図９の体成分分析装置は、生体電気インピーダンス測定による分析装置であって、前述のように被測定者の手と足に接触する複数個の電極４１〜４４を有し、被測定者の性別・年齢及び身体計測データなどの情報を入力する入力部と、測定状態及び結果を表示する表示部とを有する入出力手段４５が上部ケース４０に具備されており、必要に応じて体重を測定する体重測定部が下部ケース４６に具備されている。入出力手段４５の両端部のそれぞれには、右取っ手４１と左取っ手４２が収納される溝が形成されている。右取っ手４１には被測定者の右手のインピーダンスを測定するための右手電極４１ａが具備され、左取っ手４２には被測定者の左手のインピーダンスを測定するための左手電極４２ａが具備される。右取っ手４１の一側に接続された右側ケーブル４１ｂは、上部ケース４０の下端の右側ケーブル固定部４１ｃに固定され、一方、左取っ手４２の一側に接続された左側ケーブル４２ｂは、上部ケース４０の下端の左側ケーブル固定部４１ｃに固定されている。
【０００６】
被測定者は、下部ケース４６上に立ち、右足を右足電極４３に、左足を左足電極４４にそれそれ位置させる。次いで、右手で右取っ手４１を持って右電極４１ａをくるむように握り、左手で左取っ手４２を持って左手電極４２ａをくるむように握る。これにより、右側ケーブル４１ｂと左側ケーブル４２ｂを持ったそれぞれの手は、右側ケーブル固定部４
１cと左側ケーブル固定部４１ｃに向けて下方に気をつけの姿勢をとるようになる。
【０００７】
図１０は、従来のさらに他の体成分分析装置を示す図である。
図１０は図９の装置のケーブルのみを変形した例である。図１０の伸縮ケーブル５０は伸縮自在なコイル状のもので、取っ手から下方へ向かっており、背の高い特別な被測定者向けのものである。すなわち、伸縮ケーブル５０は、スプリングの弾性力を有するので、背の高い被測定者が引っ張ると伸びる。また、伸縮ケーブル５０は、測定が終わるとスプリングの復元力により元の長さに戻る。
【０００８】
図９と図１０の体成分分析装置を用いて手と足からのインピーダンス値を分析することで、正確な体成分を分析することができる。
このような従来の体成分分析装置は、ほとんどが胴体のスタンド部に手電極をかける据え置き台が設けられており、本体と手電極はケーブルで接続される。体成分分析装置における手電極の接続方式は、デザインや測定時の姿勢との関係で極めて重要な設計要素中の一つである。しかしながら、このようなケーブル接続方式の体成分測定装置は、ケーブルの保管に難があり、使用中にケーブルがもつれたり、ケーブル内の導線が切れたりする不具合があった。
【考案の開示】
【考案が解決しようとする課題】
【０００９】
したがって、本考案は、かかる従来の問題点を解決するためのもので、その目的は、手電極測定器と足電極測定器間の信号を無線で送受信することにより、ケーブルなしの無線通信可能な体成分分析装置を提供することにある。
【課題を解決するための手段】
【００１０】
上記目的を達成するために、本考案に係る体成分分析装置は、手電極が設置されて上半身のインピーダンス値を算出する手電極測定器と、足電極が設置されて下半身のインピーダンス値によって体成分分析結果を算出する足電極測定器と、を有し、手電極測定器と足電極測定器は無線通信で接続され、足電極測定器は、前記上半身のインピーダンス値を受信し、体成分分析結果を組み合わせた全身の体成分分析を行い、その結果を出力することを特徴とする。
【００１１】
本考案の手電極測定器は、左手と接触する左手電極と、右手と接触する右手電極と、二つの電極からの電極信号を入力としてインピーダンスを測定するためのインピーダンス測定部と、測定された上半身インピーダンス値を無線信号に変換して送信するための無線信号送信部と、を有することを特徴とする。
【００１２】
また、本考案の足電極測定器は、左足と接触する左足電極と、右足と接触する右足電極と、二つの電極からの電極信号を入力としてインピーダンスを測定するためのインピーダンス測定部と、手電極測定器からの上半身インピーダンス値を受信するための無線信号受信部と、体成分分析のための基礎データを入力するための入力部と、被測定者の体重を測定する体重測定部と、インピーダンス測定部からの下半身インピーダンス値と無線信号受信部からの上半身インピーダンス値とを組み合わせ、基礎データおよび測定済みの体重に基づいて体成分分析結果を算出する中央制御部と、体成分分析結果を出力するためのディスプレイ部と、を有することを特徴とする。
【００１３】
本考案の足電極測定器は、手電極測定器を安着させるための安着溝を備えることを特徴とする。
本考案の目的を達成するために、本考案に係る体成分分析装置は、手電極が設置されて上半身のインピーダンス値によって上半身の体成分分析結果を算出する手電極測定器と、
足電極が設置されて下半身のインピーダンス値によって下半身の体成分分析結果を算出する足電極測定器と、を有し、手電極測定器と足電極測定器は無線通信で接続され、手電極測定器と足電極測定器のいずれか一つは、前記上半身の体成分分析結果と下半身の体成分分析結果とを組み合わせた全身の体成分分析を行い、その結果を出力することを特徴とする。
【００１４】
また、本考案の手電極測定器は、左手と接触する左手電極と、右手と接触する右手電極と、二つの電極からの電極信号を入力としてインピーダンスを測定するためのインピーダンス測定部と、体成分分析のための基礎データを入力するための入力部と、インピーダンス測定部からの上半身インピーダンス値と前記基礎データとに基づいて体成分分析結果を算出する中央制御部と、体成分分析結果を出力するためのディスプレイ部と、体成分分析結果を足電極測定器に対して送受信するための無線信号送受信部と、を有することを特徴とする。
【００１５】
また、本考案の足電極測定器は、左足と接触する左足電極と、右足と接触する右足電極と、二つの電極からの電極信号を入力としてインピーダンスを測定するためのインピーダンス測定部と、体成分分析結果を手電極測定器に対して送受信するための無線信号送受信部と、体成分分析のための基礎データを入力するための入力部と、被測定者の体重を測定する体重測定部と、インピーダンス測定部からの下半身インピーダンス値と前記基礎データと測定済みの体重とに基づいて体成分分析結果を算出する中央制御部と、体成分分析結果を出力するためのディスプレイ部と、を有することを特徴とする。
【００１６】
また、本考案の足電極測定器は、前記手電極測定器を安着させるための安着溝を備えることを特徴とする。
本考案の目的を達成するために、本考案に係る体成分分析装置は、第１電極が設置されて第１インピーダンス値を算出する第１電極測定器と、第２電極が設置されて第２インピーダンス値によって体成分分析結果を算出する第２電極測定器と、を含み、第１電極測定器と第２電極測定器は無線通信で接続され、前記第２電極測定器は、前記第１インピーダンス値を受信し、体成分分析結果を組み合わせた全身の体成分分析を行い、その結果を出力することを特徴とする。
【考案の効果】
【００１７】
本考案の装置は、上半身または下半身のそれぞれの体成分を分析することができ、さらに全身の体成分を分析することもできるので、体成分分析を選択的に行うことができ、しかもケーブルなしの無線通信方式を利用するので、装置の小型化による携帯性の向上が図れる。
【考案を実施するための最良の形態】
【００１８】
以下、添付した図１〜図６を参照して本考案の好適な実施例を詳しく説明する。
本考案の体成分分析装置は、手電極測定器と足電極測定器を別々に備えるが、両測定器間の信号を有線でなく無線で送受信することを特徴とする。
【００１９】
このような体成分分析装置は、手電極測定器と足電極測定器のいずれか一つのみをモジュール化して具現することもでき、二つの測定器を共にモジュール化して具現することもできる。ここで、モジュール化とは、電極からのインピーダンス値を測定し、その測定値によって体成分分析結果を算出し、それをディスプレイするまでのすべての体成分分析過程を行うことができる装置を備えることを言う。
【００２０】
後述する実施例では、手電極測定器と足電極測定器のうち足電極測定器をモジュール化した例と、手電極測定器と足電極測定器を共にモジュール化した例とを説明する。
以下、図１〜図３を参照して手電極測定器と足電極測定器のうち足電極測定器をモジュール化した例を説明する。
【００２１】
図１は、本考案の一実施例に係る体成分分析装置の結合状態図である。
図１を参照すると、体成分分析装置１００は手電極測定器１１０と足電極測定器１３０とを備え、手電極測定器１１０は足電極測定器１３０の一側に安着している。そして、手電極測定器１１０と足電極測定器１３０間はケーブルなしの無線通信が可能になっている。手電極測定器１１０は左手電極１１１と右手電極１１２とを備え、被測定者は手のインピーダンスを測定する場合、手電極測定器１１０を足電極測定器１３０からはずして左手電極１１１と右手電極１１２により手のインピーダンスを測定する。一方、足電極測定器１３０は左足電極１３１と右足電極１３２とを備え、その両電極の間に、体成分分析結果を出力するディスプレイ部１３３と、体成分分析のための基礎データを入力するための入力部１３４とを備える。
【００２２】
図２は、本考案の一実施例に係る体成分分析装置の分離状態図である。
図２は手電極測定器１１０と足電極測定器１３０が分離した状態を示す。被測定者は手と足の体成分を測定する場合、足電極測定器１３０の上部に安着している手電極測定器１１０を持ち上げ体成分を測定する。この時、手電極測定器１１０を収容していた、足電極測定器１３０の安着溝１２０が外部に露出する。
【００２３】
次に、上記構成の体成分分析装置の動作を図３を参照して詳しく説明する。
図３は、本考案の一実施例に係る体成分分析装置の内部システムを示すブロック図である。
【００２４】
図３を参照して説明すると、手電極測定器１１０は手電極を用いて上半身のインピーダンスを測定するためのものであり、足電極測定器１３０は体成分分析のためにモジュール化されているものである。足電極測定器１３０は、足電極を用いて下半身のインピーダンスを測定することはもとより、手電極測定器１１０からの上半身のインピーダンス値を参考して体成分分析値を算出し、その結果をディスプレイする。
【００２５】
手電極測定器１１０は、外部で左手と接触する左手電極１１１と、右手と接触する右手電極１１２と、二つの電極１１１、１１２からの電極信号を入力としてインピーダンスを測定するためのインピーダンス測定部１１３と、測定済みの上半身インピーダンス値を無線信号に変換して送信するための無線信号送信部１１４と、を有している。
【００２６】
一方、足電極測定器１３０は、外部で左足と接触する左足電極１３１と、右足と接触する右足電極１３２と、二つの電極１３１、１３２からの電極信号を入力としてインピーダンスを測定するためのインピーダンス測定部１３９と、手電極測定器１１０からの上半身インピーダンス値を受信するための無線信号受信部１３６と、インピーダンス測定部１３９からの下半身インピーダンス値と無線信号受信部１３６からの上半身インピーダンス値とを組み合わせて体成分分析結果を算出する中央制御部１３７と、体成分分析結果を出力するためのディスプレイ部１３３と、体成分分析のための基礎データを入力するための入力部１３４と、被測定者の体重を測定して中央制御部１３７に出力する体重測定部１３５と、を有している。
【００２７】
このような手電極測定器と足電極測定器を用いて全身の体成分を分析するためには、被測定者は、足電極測定器１３０の入力部１３４で自分の年齢、性別など体成分分析に必要な基礎データを入力する。入力が完了すると、手電極測定器１１０を足電極測定器１３０と分離して手に持ち、左手を左手電極１１１に、右手を右手電極１１２にそれぞれ接触させる。同時に足電極測定器１３０上の左足を左足電極１３１に、右足を右足電極１３２に
それぞれ接触させる。この時、手電極測定器１１０のインピーダンス測定部１１３は、左手電極１１１と右手電極１１２からの電極信号を入力として上半身インピーダンスを測定する。そして、その結果の上半身インピーダンス値を無線信号送信部１１４に出力し、無線信号送信部１１４は上半身インピーダンス値を無線信号に変換して足電極測定器１３０に送信する。すると、足電極測定器１３０の無線信号受信部１３６は、無線信号を受信して上半身インピーダンス値に変換して中央制御部１３７に出力する。同時に足電極測定器１３０のインピーダンス測定部１３９は、左足電極１３１と右足電極１３２からの電極信号を入力として下半身インピーダンスを測定する。そして、その結果の下半身インピーダンス値を中央制御部１３７に出力する。
【００２８】
一方、体重測定部１３５は、被測定者の体重を測定して中央制御部１３７に出力する。中央制御部１３７は、体重値と入力部１３４からの基礎データに基づいて既に入力された上半身インピーダンスと下半身インピーダンス値によって体成分分析を行う。中央制御部１３７は、体成分分析が完了すると、その結果をディスプレイ部１３３に出力する。
【００２９】
前述した実施例では足電極測定器をモジュール化した例を説明したが、反対に手電極測定器をモジュール化して具現することもできる。
以下、図４〜図６を参照して手電極測定器と足電極測定器を共にモジュール化した例を説明する。
【００３０】
図４は、本考案の他の実施例に係る体成分分析装置の結合状態図である。
図４を参照すると、体成分分析装置２００は手電極測定器２１０と足電極測定器２３０とを備え、手電極測定器２１０は足電極測定器２３０の一側に安着している。そして、手電極測定器２１０と足電極測定器２３０間はケーブルなしの無線通信が可能になっている。手電極測定器２１０は左手電極２１１、右手電極２１２、ディスプレイ部２３１及び入力部２１４を備え、被測定者は手のインピーダンスを測定する場合、手電極測定器２１０を足電極測定器２３０からはずして入力部２１４により被測定者の基礎データを入力した後、左手電極１１１と右手電極１１２を用いて手のインピーダンスを測定し、その結果をディスプレイ部２３１で確認する。一方、足電極測定器２３０は左足電極２３１と右足電極２３２とを備え、その両電極の間に、体成分分析結果を出力するディスプレイ部２３３と、体成分分析のための基礎データを入力するための入力部２３４とを備える。
【００３１】
図５は、本考案の他の実施例に係る体成分分析装置の分離状態図である。
図５は手電極測定器２１０と足電極測定器２３０が分離した状態を示す。被測定者は手と足の体成分を測定する場合、足電極測定器２３０の上部に安着している手電極測定器２１０を持ち上げて体成分を測定する。この時、手電極測定器２１０を収容していた、足電極測定器２３０の安着溝２２０が外部に露出する。手電極測定器２１０と足電極測定器２３０はそれぞれモジュール化されているので、手電極２１１、２１２を用いて上半身の体成分分析のみを行うこともでき、足電極２３１、２３２を用いて下半身の体成分分析のみを行うこともできる。また、上半身と下半身の体成分分析結果を組み合わせて全身の体成分分析結果を得ることも可能である。
【００３２】
次に、上記構成の体成分分析装置の動作を図６を参照して詳しく説明する。
図６は、本考案の他の実施例に係る体成分分析装置の内部システムを示すブロック図で
ある。
【００３３】
図６を参照すると、手電極測定器２１０は手電極を用いて上半身の体成分分析結果を得てその結果を出力するようにモジュール化されており、足電極測定器１３０は足電極を用いて下半身の体成分分析結果を得てその結果を出力するようにモジュール化されている。また、手電極測定器２１０と足電極測定器２３０のそれぞれは、上半身の体成分分析結果
と下半身の体成分分析結果とを組み合わせて全身の体成分分析結果を算出し、それを出力することも可能である。
【００３４】
手電極測定器２１０と足電極測定器２３０は、前述した図３の足電極測定器と同一の構成であるが、手電極測定器２１０は体重測定のための構成要素を有してなく、ただし入力部２１４により体重値の入力を受ける。そして、手電極測定器２１０および足電極測定器２３０の構成要素の詳細な動作は、図３の足電極測定器を参照すれば当業者が容易に想到できるもので、その説明を省略する。
【００３５】
ただし、図６の体成分分析装置２００は、手電極測定器２１０と足電極測定器２３０が各々のモードにより上半身の体成分分析結果と下半身の体成分分析結果とをそれぞれ算出し、その結果をそれぞれのディスプレイ部２１３、２３３に出力する。しかし、全身の体成分分析モードでは、先ず、手電極測定器２１０の無線信号送受信部２１７は、上半身の体成分分析結果を足電極測定器２３０の無線信号送受信部２３６に送信する。次いで、足電極測定器２３０の無線信号送受信部２３６は、受信した上半身の体成分分析結果を中央制御部２３７に転送する。すると、中央制御部２３７は、保存部２３８から下半身の体成分分析結果を読み込み、それを上半身の体成分分析結果と組み合わせて全身の体成分分析結果を算出し、その結果をディスプレイ部２３３に出力する。一方、足電極測定器２３０の下半身の体成分分析結果を手電極測定器２１０に送信する場合も、上記と同様に具現することができる。
【図面の簡単な説明】
【００３６】
【図１】図１は本考案の一実施例に係る体成分分析装置の結合状態図である。
【図２】図２は本考案の一実施例に係る体成分分析装置の分離状態図である。
【図３】図３は本考案の一実施例に係る体成分分析装置の内部システムを示すブロック図である。
【図４】図４は本考案の他の実施例に係る体成分分析装置の結合状態図である。
【図５】図５は本考案の他の実施例に係る体成分分析装置の分離状態図である。
【図６】図６は本考案の他の実施例に係る体成分分析装置の内部システムを示すブロック図である。
【図７】図７は従来例の体成分分析装置を示す図である。
【図８】図８はさらに他の従来例の体成分分析装置を示す図である。
【図９】図９はさらに他の従来例の体成分分析装置を示す図である。
【図１０】図１０はさらに他の従来例の体成分分析装置を示す図である。
【符号の説明】
【００３７】
１００、２００    体成分分析装置
１１０、２１０    手電極測定器
１３０、２３０    足電極測定器
１１１、２１１    左手電極
１１２、２１２    右手電極
１３１、２３１    左足電極
１３２、２３２    右足電極
１３３、２１３、２３３    ディスプレイ部
１３４、２１４、２３４    入力部
１２０、２２０    安着溝
【図１】
0003110829.tif 000003
【図２】
0003110829.tif 000004
【図３】
0003110829.tif 000005
【図４】
0003110829.tif 000006
【図５】
0003110829.tif 000007
【図６】
0003110829.tif 000008
【図７】
0003110829.tif 000009
【図８】
0003110829.tif 000010
【図９】
0003110829.tif 000011
【図１０】
0003110829.tif 000012